(57)【特許請求の範囲】
【請求項１】
側壁を有する水路に設置された、前記側壁間に対応した幅を有するスクリーンの付着塵芥を除去する除塵装置において、
所定の間隔で連結板に固定された複数の掻き上げ片からなるレーキ部と、前記スクリーンの幅方向を軸として回転するメインローラと、前記スクリーンの面に対して垂直方向を軸として回転するサイドローラとを有する本体部と、
前記側壁に設けられる溝と、
前記溝に前記メインローラ及び前記サイドローラを摺動させて、前記スクリーンに沿って前記本体部を昇降させる昇降手段とを備え、
前記レーキ部は、前記本体部に軸支され、前記スクリーンに付着した塵芥の掻き上げを行う塵芥掻き上げ位置に自重で位置し、且つ、前記塵芥掻き上げ位置から上方に対し所定角度だけ回動自在である
ことを特徴とする除塵装置。
【請求項２】
前記本体部は、複数の前記レーキ部を備え、
前記各レーキ部は、それぞれ独立して回動自在である
ことを特徴とする請求項１記載の除塵装置。
【発明の詳細な説明】
【技術分野】
【０００１】
本発明は、水路に設置されたスクリーンの付着塵芥を除去する除塵装置に関する。詳しくは、回動自在なレーキ部を有する本体部及び昇降手段を備えた単純な構成とすることにより、装置全体を小型化して、狭い場所に設置することを可能とするものである。
【背景技術】
【０００２】
水力発電所等の取水口には、取水口内への塵芥の進入を防ぐため、棒状の金属が所定の間隔で配置されたスクリーンが設置される。このスクリーンで捕捉された塵芥の除去を行う方法として、人の作業により行う方法と、除塵装置を用いて行う方法がある。除塵装置としては、スクリーンに沿ってレーキが往復するレーキ往復式のものと、スクリーンに沿ってレーキが回動するレーキ回動式のものとが、現在一般的に使用されている。
【０００３】
レーキ往復式では、スクリーンの上部に設置された除塵装置本体から、レーキが取り付けられたアームがスクリーン上に延出される。このレーキがスクリーン上を往復して、スクリーン上の塵芥を除去するものである。またレーキ回動式では、チェーンに取り付けられたレーキがスクリーン上を回動し、連続的な除塵を可能とするものである。
【０００４】
また上記とは別に、装置本体の設置及び取り外しを容易にする除塵装置が提案されている（例えば特許文献１参照）。特許文献１に記載される除塵装置は、水路外でフレームを支持する第１の支持機構と水路内でフレームを支持する第２の支持機構を備えることにより、除塵装置本体の着脱を容易にし、且つ除塵装置本体を安定に支持することを可能とするものである。
【０００５】
【特許文献１】特開平１１−２１８５６号公報
【発明の開示】
【発明が解決しようとする課題】
【０００６】
しかし、前述した従来の除塵方法では、次のような問題がある。人の作業により除塵を行う方法はスクリーン上を移動する際に困難が伴う。また、従来のレーキ往復式の除塵装置及びレーキ回動式の除塵装置は、共に可動部が多く構造が複雑となるため、装置本体が大きくなる。このため、除塵装置本体を設置するためスクリーンの上部に広い領域が必要になってしまう。
【０００７】
また特許文献１に開示される除塵装置は、除塵装置本体の着脱を容易にするための構成であり、装置全体の構成を単純にして小型化することはできない。
【０００８】
本発明は、このような問題を解決するためになされたものであり、狭い領域に設置することが可能な除塵装置を提供することを目的とする。
【課題を解決するための手段】
【０００９】
上述した課題を解決するため、本発明に係る除塵装置は、側壁を有する水路に設置された、側壁間に対応した幅を有するスクリーンの付着塵芥を除去する除塵装置において、所定の間隔で連結板に固定された複数の掻き上げ片からなるレーキ部と、スクリーンの幅方向を軸として回転するメインローラと、スクリーンの面に対して垂直方向を軸として回転するサイドローラとを有する本体部と、側壁に設けられる溝と、溝にメインローラ及びサイドローラを摺動させて、スクリーンに沿って本体部を昇降させる昇降手段とを備え、レーキ部は、本体部に軸支され、スクリーンに付着した塵芥の掻き上げを行う塵芥掻き上げ位置に自重で位置し、且つ、塵芥掻き上げ位置から上方に対し所定角度だけ回動自在であることを特徴とするものである。
【００１０】
本発明に係る除塵装置では、次のようにスクリーンに付着した塵芥の除去が行われる。まず昇降手段により、本体部をスクリーンに沿って下端部近傍まで降ろす。この時、スクリーン上の付着塵芥とレーキ部が当たった際は、レーキ部が上方へ回転して逃げるため、本体部の下方への移動は妨げられない。
【００１１】
本体部をスクリーンに対して下端部へ降ろした後、昇降手段により、本体部をスクリーンに沿って上端部近傍まで持ち上げる。この時、スクリーン上の付着塵芥は、塵芥掻き上げ位置にあるレーキ部の各掻き上げ片により掻き上げられ、本体部と一緒にスクリーンの上端部近傍まで持ち上げられる。その後、スクリーンの上端部近傍まで持ち上げられた塵芥は、人手等により本体部から除去される。
【発明の効果】
【００１２】
本発明の除塵装置は、スクリーンに沿った本体部の下降動作、及び持ち上げ動作により、スクリーン上の付着塵芥の除去を行う構成であり、必要な動力源は昇降手段のみとなる。よって本発明の除塵装置では、装置全体を小型化して狭い場所に設置することが可能となる。更に、本体部の昇降動作をスムーズに行うことができる。
【発明を実施するための最良の形態】
【００１３】
以下図面を参照して、本発明の除塵装置の実施の形態について説明する。
【００１４】
＜本実施の除塵装置の構成例＞
図１から図４は、本実施の形態の除塵装置１の構成を示す説明図である。図１から図４は、全て除塵装置１が後述するスクリーン１０に設置された状態を示している。図１は除塵装置１の概略を示す斜視図であり説明のため一部の構成を透視した状態で破線にて示している。図１では後述するスクリーン１０は一部のみを示している。図２は除塵装置１の側面図であり、説明のため一部の構成を破線で示している。図３は除塵装置１を後述するスクリーン１０の設置方向に対して垂直方向から見た状態を示している。図３では後述するスクリーン１０は一部のみを示している。図４は除塵装置１を後述するスクリーン１０の設置方向から見た断面形状を示している。
【００１５】
本実施の形態の除塵装置１は、例えば水力発電所等の取水口１４に備えられたスクリーン１０上の付着塵芥の除去を行うために設置される。図１から図４に示すように、スクリーン１０は、所定の間隔で配置された棒状のスクリーンバー１０ａにより構成される。除塵装置１は例えば次のような構成となる。
【００１６】
図１から図４に示すように、除塵装置１は、スクリーン１０に沿って設置される除塵装置本体部２と、除塵装置本体部２を吊るための吊りワイヤー８と、フック１２を介して吊りワイヤー８に吊られた除塵装置本体部２を昇降させるための図示しないホイスト等の昇降装置とを備えて構成される。除塵装置本体部２は、スクリーン１０の幅に応じた長さを有する本体フレーム３と、本体フレーム３の側面に取り付けられたメインローラ４とサイドローラ５とを備える。メインローラ４はスクリーン１０の幅方向を軸として取り付けられ、サイドローラ５はスクリーン１０の面に対して垂直方向を軸として取り付けられる。またスクリーン１０の両側壁１１にはそれぞれメインローラ４及びサイドローラ５の形状に応じた戸溝１１ａが設けられており、この戸溝１１ａ内にメインローラ４及びサイドローラ５が位置することにより、除塵装置本体部２は両側壁１１に対して摺動自在な構成となっている。
【００１７】
また除塵装置本体部２は、複数の棒状のレーキ爪６ａがレーキ連結板６ｂにより所定の間隔で固定されたレーキ６を、複数備える。レーキ６はレーキ回動軸６ｃを軸に回動自在に除塵装置本体部２に取り付けられている。また図２から図４に示すように、レーキ６の各レーキ爪６ａが除塵装置本体部２に対して略垂直となる位置に停止するようにレーキストッパー７が備えられている。これにより、レーキ６は図２の実線で示す位置から破線で位置まで回動自在な構成となる。またレーキ６の図２の実線で示す位置を塵芥掻き上げ位置と称する。また、除塵装置本体部２がスクリーン１０に対して設置された状態においては、レーキ６は自重で塵芥掻き上げ位置にある状態となる。
【００１８】
また、図２のＡ及び図４のＢに示すように、レーキ６が塵芥掻き上げ位置にある際は、レーキ爪６ａの先端の一部が各スクリーンバー１０ａの間に位置した状態となる。また各レーキ６は、レーキ連結部６ｄにて独立して回動自在に連結されている。よって、図３に示すように各レーキ６が異なった角度に回動することが可能となる。除塵装置本体部２は本体部の一例であり、レーキ爪６ａは掻き上げ片の一例であり、レーキ６はレーキ部の一例である。
【００１９】
更に、除塵装置本体部２の上部の左右両端部近傍には、それぞれ吊りワイヤー取り付け部３ａが備えられており、吊りワイヤー８が取り付けられる。
【００２０】
また、除塵装置本体部２はホイスト等の吊り上げ荷重制限等を考慮して、例えば主にアルミニウム合金等の軽量な金属により構成される。
【００２１】
このような構成を備えることにより、ホイスト等により、除塵装置本体部２をスクリーン１０に沿ってスクリーン１０の下端部近傍まで降ろし、更に、除塵装置本体部２をスクリーン１０の上端部近傍まで持ち上げることが可能となる。メインローラ４、サイドローラ５、吊りワイヤー８及びホイスト等の昇降装置は昇降手段の一例である。
【００２２】
＜本実施の除塵装置の動作例＞
次に図１から図４で説明した除塵装置１の動作例を説明する。図５及び図６は除塵装置１の動作例を示す説明図であり、図２と同様に除塵装置１を側面から見た状態を示す。図５は除塵装置本体部２をスクリーン１０に沿って下降させる状態を示し、図６は除塵装置本体部２をスクリーン１０に沿って上昇させる状態を示す。
【００２３】
除塵装置１により、スクリーン１０に付着した塵芥を除去する際には、まずホイスト等により、除塵装置本体部２をスクリーン１０に沿ってスクリーン１０の下端部近傍まで降下させる。ここで各レーキ６は除塵掻き上げ位置にあるため、各レーキ６はスクリーン１０上に付着した塵芥１３と当たるが、この時は図５に示すように、レーキ６が塵芥１３の大きさに応じた角度回動して逃げた状態となる。よって、除塵装置本体部の下降動作は妨げられない。また、除塵装置本体部は複数のレーキ６を備えて構成されるため、塵芥の当たったレーキ６のみ回動して逃げた状態となり、除塵装置本体部の下降動作をスムーズに行うことが可能となる。
【００２４】
除塵装置本体部２をスクリーン１０の下端部近傍に下降させた後、ホイスト等により、除塵装置本体部２をスクリーン１０に沿ってスクリーン１０の上端部近傍まで持ち上げる。ここで各レーキ６のレーキ爪６ａは、図６に示すように、除塵掻き上げ位置にてレーキストッパー７により支えられた状態となる。よって、スクリーン１０上に付着した塵芥１３は各レーキ６のレーキ爪６ａにより掻き上げられ、除塵装置本体部２と一緒にスクリーン１０の上端部近傍まで持ち上げられる。
【００２５】
除塵装置本体部２をスクリーン１０の上端部近傍まで持ち上げた後、レーキ６により掻き上げた塵芥を人の手作業等によって除塵装置本体部２から取り除く。
【００２６】
本発明の除塵装置１は、除塵装置本体部２をスクリーン１０に沿って下降させ、スクリーン１０に沿って持ち上げることにより、スクリーン１０上の付着塵芥の除去を行う構成であり、必要な動力源はホイスト等の昇降装置のみである。よって本発明の除塵装置１では、装置全体を小型化することにより、従来の除塵装置の設置ができないような小型の取水口に対しても設置することが可能となる。
【００２７】
また、本発明の除塵装置１は、レーキ６を有する除塵装置本体部２、吊りワイヤー８及びホイスト等の持ち上げ装置を備える簡易な構成である。よって、装置全体の構成が単純であるため、従来の除塵装置と比較して、容易に且つ低コストで作製することが可能となり、更に必要なメンテナンスの量を少なくすることができる。
【００２８】
更に、本発明の除塵装置１は、除塵装置本体部２を昇降させる昇降装置としてホイスト等の汎用のものを用いることができる。
【産業上の利用可能性】
【００２９】
本発明は、水力発電所等の水路に設置されるスクリーンの付着塵芥を除去する除塵装置に適用される。
【図面の簡単な説明】
【００３０】
【図１】本実施の形態の除塵装置の構成例を示す概略斜視図である。
【図２】本実施の形態の除塵装置の構成例を示す説明図である。
【図３】本実施の形態の除塵装置の構成例を示す説明図である。
【図４】本実施の形態の除塵装置の構成例を示す説明図である。
【図５】本実施の形態の除塵装置の動作例を示す説明図である。
【図６】本実施の形態の除塵装置の動作例を示す説明図である。
【符号の説明】
【００３１】
１  除塵装置
２  除塵装置本体部
４  メインローラ
５  サイドローラ
６  レーキ
６ａ  レーキ爪
６ｃ  レーキ回転軸
８  吊りワイヤー
１０  スクリーン
１０ａ  スクリーンバー
１１  側壁
１１ａ  戸溝
【図１】
0004684103.tif 000002
【図２】
0004684103.tif 000003
【図３】
0004684103.tif 000004
【図４】
0004684103.tif 000005
【図５】
0004684103.tif 000006
【図６】
0004684103.tif 000007